(57)【要約】【課題】インターバル撮影を複数行う場合の効率化を図る。【解決手段】ＣＰＵ１８は、１つの領域に対して撮影タイミングとなった場合には、その領域を切り出し範囲として設定し、撮像部１３による撮像画像を切り出し範囲で切り出してファイルとして保存する。また、ＣＰＵ１８は、複数の領域に対して同時の撮影タイミングとなった場合には、複数の領域を含む最大の範囲を切り出し範囲として設定し、撮像部１３による撮像画像を切り出し範囲で切り出した後、該切り出した範囲から更に領域毎にトリミングしてファイルとして保存する。【選択図】図１
2018160731.tif 000002
【特許請求の範囲】
【請求項１】
撮像手段と、
複数のインターバル撮影を設定する設定手段と、
前記撮像手段に対し、前記設定手段によって複数設定されたインターバル撮影を並行して行うよう制御する撮像制御手段と、
この撮像制御手段によって撮像された画像を、前記設定手段によって設定されたインターバル撮影に対応する処理内容で処理するよう制御する制御手段と、
を備えることを特徴とする撮像装置。
【請求項２】
前記インターバル撮影と対応付けて、前記撮像手段が撮像した撮像領域における切り出し範囲を設定する切り出し範囲設定手段を更に備え、
前記制御手段は、前記処理内容として、前記撮像制御手段によって撮像された画像を前記切り出し範囲設定手段によって設定された切り出し範囲で切り出すことを特徴とする請求項１記載の撮像装置。
【請求項３】
前記切り出し範囲設定手段は、前記複数設定されたインターバル撮影の各々と対応付けて、前記撮像領域において夫々異なる切り出し範囲を設定することを特徴とする請求項２記載の撮像装置。
【請求項４】
前記設定手段によって設定されるインターバル撮影は、夫々撮影間隔が異なるものであり、
前記複数のインターバル撮影において撮影タイミングが重なるものがあるか否かを判断する撮影タイミング判断手段を備え、
前記制御手段は、前記撮影タイミング判断手段によって撮影タイミングが重なるものがあると判断されると、対応する切り出し範囲を全て含む領域を切り出すことを特徴とする請求項３に記載の撮像装置。
【請求項５】
撮影タイミングで前記切り出し範囲が重なるか否かを判断する切り出し範囲判断手段を更に備え、
前記制御手段は、前記切り出し範囲判断手段によって切り出し範囲が重なると判断されると、前記処理内容として前記撮像領域からこの重なる切り出し範囲を全て含む領域を切り出すことを特徴とする請求項２乃至４の何れか一つに記載の撮像装置。
【請求項６】
前記制御手段は、前記切り出し範囲判断手段によって切り出し範囲が重ならないと判断されると、前記処理内容として前記撮像領域からこれら複数の切り出し範囲を全て含む領域を切り出すことを特徴とする請求項５に記載の撮像装置。
【請求項７】
前記制御手段は、前記処理内容として更に、前記インターバル撮影の各々に対応して切り出された画像を、その解像度またはサイズが等しくなるように加工するよう制御することを特徴とする請求項２乃至６の何れか一つに記載の撮像装置。
【請求項８】
前記制御手段は、前記処理内容として、前記撮像制御手段によって撮像された画像を前記設定手段によって設定されたインターバル撮影と対応付けて記憶手段に記憶させることを含むことを特徴とする請求項１乃至７の何れか一つに記載の撮像装置。
【請求項９】
撮像部を備える撮像装置の画像処理方法であって、
複数のインターバル撮影を設定する設定ステップと、
前記撮像部に対し、前記設定ステップにて複数設定されたインターバル撮影を並行して行うよう制御する撮像制御ステップと、
この撮像制御ステップにて撮像された画像を、前記設定ステップにて設定されたインターバル撮影に対応する処理内容で処理するよう制御する制御ステップと、
を含むことを特徴とする画像処理方法。
【請求項１０】
撮像部を備える撮像装置のコンピュータを、
複数のインターバル撮影を設定する設定手段、
前記撮像部に対し、前記設定手段によって複数設定されたインターバル撮影を並行して行うよう制御する撮像制御手段、
この撮像制御手段によって撮像された画像を、前記設定手段によって設定されたインターバル撮影に対応する処理内容で処理するよう制御する制御手段、
として機能させることを特徴とするプログラム。
【発明の詳細な説明】
【技術分野】
【０００１】
本発明は、撮像装置、画像処理方法、及びプログラムに関する。
【背景技術】
【０００２】
従来、所定の時間間隔で撮影を繰り返すインターバル撮影という撮影方法が知られている。一般に、インターバル撮影では撮影を繰り返し、撮像画像を順次保存していた（例えば特許文献１参照）。
【先行技術文献】
【特許文献】
【０００３】
【特許文献１】特開２００７−０４３４６３号公報
【発明の概要】
【発明が解決しようとする課題】
【０００４】
しかしながら、特許文献１に記載した技術は、撮像画像がそのままインターバル撮影の画像として保存されていたため、撮影（観察）する対象が同じ撮像範囲において複数存在する場合やインターバル撮影間隔を変えたい場合には、設定を変えてインターバル撮影をするしかないという問題がある。
【０００５】
そこで本発明は、インターバル撮影を複数行う場合の効率化を図ることを目的とする。
【課題を解決するための手段】
【０００６】
この発明に係る撮像装置は、撮像手段と、複数のインターバル撮影を設定する設定手段と、前記撮像手段に対し、前記設定手段によって複数設定されたインターバル撮影を並行して行うよう制御する撮像制御手段と、この撮像制御手段によって撮像された画像を、前記設定手段によって設定されたインターバル撮影に対応する処理内容で処理するよう制御する制御手段と、を備えることを特徴とする。
【発明の効果】
【０００７】
この発明によれば、インターバル撮影を複数行う場合の効率化を図ることができる。
【図面の簡単な説明】
【０００８】
【図１】本発明の実施形態によるデジタルカメラ１の構成を示すブロック図である。
【図２】本実施形態によるデジタルカメラ１のインターバル撮影設定テーブル２０を説明するための概念図である。
【図３】本実施形態のデジタルカメラ１の動作を説明するためのフローチャートである。
【図４】本実施形態のデジタルカメラ１の動作を説明するためのフローチャートである。
【図５】本第実施形態において、設定された領域を説明するための概念図である。
【図６】本第実施形態によるデジタルカメラ１の動作を説明するための概念図である。
【図７】本第実施形態によるデジタルカメラ１の動作を説明するための概念図である。
【発明を実施するための形態】
【０００９】
以下、本発明の実施の形態を、図面を参照して説明する。
【００１０】
Ａ．第１実施形態の構成
図１は、本発明の実施形態によるデジタルカメラ１の構成を示すブロック図である。図において、本実施形態のデジタルカメラ１は、入力部１０、内部記憶部（ＲＡＭ）１１、通信部１２、撮像部１３、表示部１４、音声入出力部１５、外部記憶装置（ＳＤスロット）１６、ストロボ発光部１７、及びＣＰＵ１８を備えている。
【００１１】
入力部１０は、複数のメカニカル操作キー、又はタッチセンサ、又は表示部１４の画面上に配設されたタッチパネル等からなり、シャッタキー、ズームキー、モードキー、ムービー記録開始／終了キー、電源オンオフキー等を提供し、ユーザの操作に応じた操作信号を出力する。
【００１２】
内部記憶部（ＲＡＭ）１１は、撮像部１３によって撮像された静止画データ／動画データを一時記憶するバッファメモリとして使用されるとともに、ＣＰＵ１８により実行されるプログラムや動作等に必要とされる各種パラメータや、プログラムを実行した際のデータを一時格納するワーキングメモリとして使用される。特に、本実施形態では、内部記憶部（ＲＡＭ）１１は、インターバル撮影におけるパラメータ（時間間隔、領域、静止画／動画）を保持するインターバル撮影設定テーブル２０を保持する。
【００１３】
通信部１２は、例えば、Ｂｌｕｅｔｏｏｔｈ（登録商標）を用いて、外部機器（携帯端末など）との間で静止画データ／動画データなどを送受信する。省電力なＢｌｕｅｔｏｏｔｈ（登録商標）Ｌｏｗ  Ｅｎｅｒｇｙ、又は、Ｂｌｕｅｔｏｏｔｈ（登録商標）＠Ｓｍａｒｔであればより好ましい。なお、Ｂｌｕｅｔｏｏｔｈ（登録商標）による通信部１２以外にも、無線ＬＡＮ（Ｌｏｃａｌ  Ａｒｅａ  Ｎｅｔｗｏｒｋ）や、ＮＦＣ（Ｎｅａｒ  Ｆｉｅｌｄ  Ｃｏｍｍｕｎｉｃａｔｉｏｎ：近接無線通信）、携帯端末の移動体通信網を用いる通信手段を備えていてもよい。
【００１４】
撮像部１３、ＣＣＤや、ＣＭＯＳなどの撮像素子からなり、光学レンズ群からなるレンズブロックから入った画像を撮像素子によりデジタル信号に変換して出力する。表示部１４は、液晶表示器や有機ＥＬ（Ｅｌｅｃｔｒｏ  Ｌｕｍｉｎｅｓｃｅｎｃｅ）表示器などからなり、ライブビュー画像や、撮影した画像や動画、撮影条件を設定したり確認したりするための設定画面、各種のメニュー画面などを表示する。
【００１５】
音声入出力部１５は、動画撮影時の周囲の音声を集音したり、動画の再生時に音声を出力したりする。外部記憶装置（ＳＤスロット）１６は、スロットを介して装着されたＳＤメモリカードなどの外部記憶装置である。ストロボ発光部１７は、手動又は自動にて露出不足時に発光するＬＥＤなどからなる発光部である。
【００１６】
ＣＰＵ１８は、プログラムを実行することで各部の動作を制御する。特に、ＣＰＵ１８は、その処理内容として、撮影された画像データの画像処理（画素補間処理、γ補正、輝度色差信号の生成、ホワイトバランス処理、露出補正処理、重畳合成処理やフィルタ処理等）、画像データの圧縮・伸張（例えば、ＪＰＥＧ形式やＭ−ＪＰＥＧ形式又はＭＰＥＧ形式の圧縮・伸張）の処理、撮像画像のトリミングや撮像画像のデジタルズームなどの処理などを行う。
【００１７】
本実施形態では、更に、ＣＰＵ１８は、インターバル撮影において、上述したインターバル撮影設定テーブル２０を参照してインターバル撮影の動作条件を設定し、撮影タイミングになると、撮像部１３によって撮影（動画又は静止画）した後、撮影タイミングが同時の領域があるか、同時であれば設定された領域が重なるのかなどを条件として、撮像部１３の最大画角（撮像画像）から切り出し範囲を設定する。
【００１８】
より具体的には、ＣＰＵ１８は、撮影タイミングが１つの領域で発生した場合には、その領域を切り出し範囲として設定し、撮像画像を切り出し範囲で切り出して、インターバル撮影設定テーブル２０にて設定されたインターバル撮影の動作条件と関連付けして、ファイルとして保存する。また、ＣＰＵ１８は、撮影タイミングが複数の領域で同時に発生した場合には、複数の領域を含む最大の範囲を切り出し範囲として設定し、撮像画像を切り出し範囲で切り出した後、該切り出した範囲から更に領域毎にトリミングして、インターバル撮影設定テーブル２０にて設定されたインターバル撮影の夫々の動作条件と関連付けして、ファイルとして保存する。このように、撮影タイミングが複数の領域で同時に発生した場合には、一つの撮像画像から各領域の部分画像を取得するようにしたので、処理の効率化を図ることができる。
【００１９】
図２は、本実施形態によるデジタルカメラ１のインターバル撮影設定テーブル２０を説明するための概念図である。インターバル撮影設定テーブル２０は、インターバル撮影毎に、インターバル撮影間隔を示す時間間隔２１、撮像部１３の撮像領域に対してどの部分であるかを示す領域２２、及び静止画として撮影するのか動画として撮影するのかを示す静止画／動画２３からなるインターバル撮影情報を保持する。図示の例では、インターバル＃１には、５秒間隔、領域Ｓ１、静止画でインターバル撮影するように設定され、インターバル＃２には、１０秒間隔、領域Ｓ２、静止画でインターバル撮影するように設定され、インターバル＃３には、１５秒間隔、領域Ｓ３、動画でインターバル撮影するように設定されて、インターバル＃４には、３０秒間隔、領域Ｓ４、動画でインターバル撮影するように設定されている。
【００２０】
図示の設定の場合には、インターバル撮影が開始されると、インターバル撮影開始後の５秒後、２５秒後、３５秒後、５５秒後、６５秒後、８５秒後．．．で領域Ｓ１のみに対して撮影タイミングが発生する。また、インターバル撮影開始後の１０秒後、２０秒後、４０秒後、５０秒後、７０秒後、８０秒後．．．で領域Ｓ１、Ｓ２に対して撮影タイミングが同時に発生する。また、インターバル撮影開始後の１５秒、３０秒後、４５秒後、７５秒後．．．で領域Ｓ１、Ｓ３に対して撮影タイミングが同時に発生する。更に、インターバル撮影開始後の３０秒後、６０秒後、９０秒後．．．で、領域Ｓ１、Ｓ２、Ｓ３、Ｓ４の全てに対して撮影タイミングが同時に発生する。
【００２１】
Ｂ．実施形態の動作
次に、上述した実施形態の動作について説明する。
図３及び図４は、本実施形態のデジタルカメラ１の動作を説明するためのフローチャートである。また、図５は、本第実施形態において、設定された領域を説明するための概念図である。図６及び図７は、本実施形態によるデジタルカメラ１のインターバル撮影動作を説明するための概念図である。
【００２２】
デジタルカメラ１において、ＣＰＵ１８は、インターバル撮影設定テーブル２０からインターバル撮影情報を取得し（ステップＳ１０）、設定されているインターバル撮影の撮像領域を設定し（ステップＳ１２）、設定されているインターバル撮影の時間間隔に応じたインターバルタイマを設定する（ステップＳ１４）。これによりインターバルタイマによる計時が開始され、インターバル撮影の時間間隔に達する度にトリガを発生する。
【００２３】
次に、ＣＰＵ１８は、インターバルタイムであるか否か、すなわちインターバル撮影の実行タイミングであるか否かを判断する（ステップＳ１６）。そして、インターバルタイムでない場合、すなわちインターバル撮影の撮影タイミングでない場合には（ステップＳ１６のＮＯ）、ＣＰＵ１８は、インターバルタイマによる計時を継続する。
【００２４】
一方、インターバルタイムである場合、すなわちインターバル撮影の撮影タイミングになった場合には（ステップＳ１６のＹＥＳ）、ＣＰＵ１８は、インターバル撮影の撮影タイミングになった領域の撮影を実行する（ステップＳ１８）。該インターバル撮影では、撮像部１３によって撮影（動画又は静止画）した後、撮影タイミングが同時に発生した領域があるか、同時であれば領域が重なるかなどを条件として、撮像部１３の最大画角（撮像画像）に対する切り出し範囲を設定する。なお、該インターバル撮影の詳細については後述する。
【００２５】
次に、ＣＰＵ１８は、動画から静止画に変換するか否かを判断する（ステップＳ２０）。これは、複数の領域に対して撮影タイミングが同時に発生した場合、複数の領域のいずれかが動画によるインターバル撮影だった場合、一旦、インターバル撮影としては動画で撮影し、その後、動画に設定されている領域には動画をインターバル撮影として残し、静止画に設定されている領域には動画からフレーム単位で抜き出した静止画をインターバル撮影として残すことになる。そこで、上記ステップＳ２０では、動画と静止画とが混在するか否か、すなわち、動画から静止画に変換する必要があるかを判断している。
【００２６】
そして、動画から静止画に変換する場合には（ステップＳ２０のＹＥＳ）、ＣＰＵ１８は、撮影した動画から所定のフレームを抜き出して静止画に変換する（ステップＳ２２）。次に、ＣＰＵ１８は、撮影した動画を設定された切り出し範囲で切り出した後、対応する領域に応じてトリミングし、該トリミングした部分画像をインターバル撮影設定テーブル２０にて設定されたインターバル撮影の動作条件と関連付けして、ファイルとして外部記憶装置（ＳＤスロット）１６に保存する（ステップＳ２４）。
【００２７】
すなわち、ＣＰＵ１８は、動画に設定されている領域に対しては、切り出し範囲で切り出した後、対応する領域に応じてトリミングし、トリミングした部分画像（動画）を設定されたインターバル撮影の動作条件と関連付けして、ファイルとして外部記憶装置（ＳＤスロット）１６に保存し、静止画に設定されている領域に対しては、切り出し範囲で切り出した後、対応する領域に応じてトリミングし、トリミングした部分画像（静止画）を設定されたインターバル撮影の動作条件と関連付けして、ファイルとして外部記憶装置（ＳＤスロット）１６に保存する。
【００２８】
一方、動画から静止画に変換しない場合、すなわち複数の領域の全てが静止画又は動画（つまり静止画と動画が混在していない）、あるいは一つの領域である場合には（ステップＳ２０のＮＯ）、ＣＰＵ１８は、撮影した静止画又は動画を切り出し範囲で切り出した後、対応する領域に応じてトリミングし、該トリミングした部分画像（静止画又は動画）を設定されたインターバル撮影の動作条件と関連付けして、ファイルとして外部記憶装置（ＳＤスロット）１６に保存する（ステップＳ２４）。
【００２９】
ＣＰＵ１８は、トリミングした部分画像をファイルとして保存した後、インターバル撮影が終了したか否かを判断する（ステップＳ２６）。なお、インターバル撮影の終了は、予め設定されている終了時間（時刻）であってもよいし、ユーザの操作によって強制的に終了されるものであってもよい。そして、インターバル撮影が終了していない場合には（ステップＳ２６のＮＯ）、ＣＰＵ１８は、ステップＳ１６に戻り、上述した処理を繰り返す。一方、インターバル撮影が終了した場合には（ステップＳ２６のＹＥＳ）、当該処理を終了する。
【００３０】
次に、図４、図５、図６（ａ）、（ｂ）及び図７（ａ）、（ｂ）を参照して、上記ステップＳ１８のインターバル撮影動作について説明する。ＣＰＵ１８は、撮影タイミングになると、現在の撮影タイミングが他の領域に対する撮影タイミングと同時であるか否かを判断する（ステップＳ３０）。そして、現在の撮影タイミングが他の領域の撮影タイミングと同時である場合には（ステップＳ３０のＹＥＳ）、ＣＰＵ１８は、同時の撮影タイミングとなった複数の領域に対して動画によるインターバル撮影が設定されているか否かを判断する（ステップＳ３２）。
【００３１】
そして、複数の領域のいずれか１つに対してでも動画によるインターバル撮影が設定されている場合には（ステップＳ３２のＹＥＳ）、撮像部１３によって所定の時間、動画を撮影する（ステップＳ３４）。一方、複数の領域のいずれに対しても静止画によるインターバル撮影が設定されている場合には（ステップＳ３２のＮＯ）、撮像部１３によって静止画を撮影する（ステップＳ３６）。
【００３２】
次に、ＣＰＵ１８は、撮影タイミングが同時に発生した領域が重なるか否かを判断する（ステップＳ３８）。
【００３３】
例えば、現在、図５に示すように、撮像部１３の最大画角（撮像画像）Ｓに対して、領域Ｓ１〜Ｓ４が設定されているものとする。領域Ｓ１〜Ｓ４は、図２のインターバル撮影＃〜＃４に対応する。そして、図６（ａ）には、領域Ｓ１と領域Ｓ２との撮影タイミングが同時に発生した場合を示しており、図６（ｂ）には、領域Ｓ１〜Ｓ４の撮影タイミングが同時に発した場合を示している。また、図７（ａ）には、領域Ｓ１と領域Ｓ３との撮影タイミングが同時に発生した場合を示しており、図７（ｂ）には、領域Ｓ１のみに撮影タイミングが発生した場合を示している。
【００３４】
そして、撮影タイミングが同時に発生した領域が重なっている場合には（ステップＳ３８のＹＥＳ）、ＣＰＵ１８は、重なる領域の中心に、撮影タイミングが同時に発生した複数の領域を含む最大の範囲を切り出し範囲として設定する（ステップＳ４０）。例えば、図６（ａ）に示すように、領域Ｓ１と領域Ｓ２との撮影タイミングが同時に発生し、かつ領域Ｓ１と領域Ｓ２との一部が重なっている場合には、重なる領域の中心に、撮影タイミングが同時に発した複数の領域Ｓ１、Ｓ２を含む最大の範囲を切り出し範囲ＳＡとして設定する。あるいは、例えば、図６（ｂ）に示すように、領域Ｓ１、Ｓ２、Ｓ３、Ｓ４の全ての撮影タイミングが同時に発生し、かつ重なっている場合には、重なる領域の中心に、撮影タイミングが同時である複数の領域Ｓ１〜Ｓ４を含む最大の範囲を切り出し範囲ＳＢ（＝領域Ｓ４）として設定する。その後、上述したメインルーチンに戻る。
【００３５】
一方、撮影タイミングが同時である領域が重なっていない場合には（ステップＳ３８のＮＯ）、ＣＰＵ１８は、撮影タイミングが同時に発生した複数の領域を含む最大の範囲を切り出し範囲として設定する（ステップＳ４２）。例えば、図７（ａ）に示すように、領域Ｓ１と領域Ｓ３との撮影タイミングが同時に発生したが、領域Ｓ１と領域Ｓ３の一部が重なっていない場合には、複数の領域Ｓ１、Ｓ３を含む最大の範囲を切り出し範囲ＳＣとして設定する。その後、上述したメインルーチンに戻る。
【００３６】
また、現在の撮影タイミングが、他のインターバル撮影の撮影タイミングと同時でない場合、すなわち１つの領域に対する撮影タイミングになった場合には（ステップＳ３０のＮＯ）、ＣＰＵ１８は、当該領域に対して動画によるインターバル撮影が設定されているか否かを判断する（ステップＳ４４）。
【００３７】
そして、当該領域に対して動画によるインターバル撮影が設定されている場合には（ステップＳ４４のＹＥＳ）、ＣＰＵ１８は、撮像部１３によって所定の時間、動画を撮影する（ステップＳ４６）。一方、該当領域に対して静止画によるインターバル撮影が設定されている場合には（ステップＳ４４のＮＯ）、ＣＰＵ１８は、撮像部１３によって静止画を撮影する（ステップＳ４８）。次に、ＣＰＵ１８は、当該領域を切り出し範囲として設定する（ステップＳ４０）。例えば、図７（ｂ）に示すように、現在の撮影タイミングが領域Ｓ１のみに対して発生した場合には、その領域Ｓ１を切り出し範囲ＳＤとして設定する。その後、上述したメインルーチンに戻る。
【００３８】
上述した実施形態によれば、一つの撮像画像に設定した領域に対するインターバル撮影間隔において、複数の領域に対して撮影タイミングが同時に発生した場合に、撮影タイミングで撮像された撮像領域から撮影タイミングが同時に発生した領域の部分画像を切り出すようにしたので、一つの撮像画像から部分画像を取得する場合の処理の効率化を図ることができる。
【００３９】
上述した実施形態によれば、撮影タイミングが同時に発生した領域が存在し、かつ撮影タイミングで、重なり合う領域がある場合に、撮影タイミングで撮像された撮像領域から重なり合う領域の全てを含む範囲の画像を切り出すようにしたので、一つの撮像画像から部分画像を取得する場合の処理の効率化を図ることができる。
【００４０】
上述した実施形態によれば、一つの撮像画像に対して複数の領域を設定可能としたので、一つの撮像画像から複数のインターバル撮影による部分画像を容易に取得することができる。
【００４１】
上述した実施形態によれば、インターバル撮影として、複数の領域のそれぞれ毎に切り出した部分画像を管理するようにしたので、複数のインターバル撮影による部分画像を容易に管理することができる。
【００４２】
なお、上述した実施形態では、インターバル撮影の領域毎に時間間隔のみを対応付けて記憶していたが、インターバル撮影の領域毎に、時間間隔に加えてシャッタースピードを設定可能としてもよい。撮影タイミングが同時となった場合、それぞれの領域に対応付けて設定されたシャッタースピードのうち、最も速いシャッタースピード（短い時間）で撮像し、撮像後にそれぞれの領域のシャッタースピードに合わせて画像の明るさを調整すればよい。
【００４３】
また、上述した実施形態において、インターバル撮影の領域毎にホワイトバランスを設定可能としてもよい。撮影タイミングが同時となった場合、一旦、ＲＡＷ（非圧縮）で撮像しておき、後でインターバル撮影において前後に撮影した画像の色味を勘案して今回の画像の色味を調整すればよい。
【００４４】
また、上述した実施形態においては、撮像部１３が備える光学レンズ群について詳述しなかったが、本発明は３５ｍｍ換算で２８ｍｍ以下の画角の広角レンズや、魚眼レンズ、１８０°、３６０°の全周囲を撮影する光学レンズを備えた撮像部、及び、カメラに対してより大きな効果を発する。この場合、ＣＰＵ１８の処理内容には更に、歪曲補正周辺減光（シェーディング）補正が含まれ、切り出し範囲に対応して撮像画像の歪みや減光補正を行うことが追加される。
【００４５】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００４６】
（付記１）
付記１に記載の発明は、撮像手段と、複数のインターバル撮影を設定する設定手段と、前記撮像手段に対し、前記設定手段によって複数設定されたインターバル撮影を並行して行うよう制御する撮像制御手段と、この撮像制御手段によって撮像された画像を、前記設定手段によって設定されたインターバル撮影に対応する処理内容で処理するよう制御する制御手段と、を備えることを特徴とする撮像装置である。
【００４７】
（付記２）
付記２に記載の発明は、前記インターバル撮影と対応付けて、前記撮像手段が撮像した撮像領域における切り出し範囲を設定する切り出し範囲設定手段を更に備え、前記制御手段は、前記処理内容として、前記撮像制御手段によって撮像された画像を前記切り出し範囲設定手段によって設定された切り出し範囲で切り出すことを特徴とする付記１記載の撮像装置である。
【００４８】
（付記３）
付記３に記載の発明は、前記切り出し範囲設定手段は、前記複数設定されたインターバル撮影の各々と対応付けて、前記撮像領域において夫々異なる切り出し範囲を設定することを特徴とする付記２記載の撮像装置である。
【００４９】
（付記４）
付記４に記載の発明は、前記設定手段によって設定されるインターバル撮影は、夫々撮影間隔が異なるものであり、前記複数のインターバル撮影において撮影タイミングが重なるものがあるか否かを判断する撮影タイミング判断手段を備え、前記制御手段は、前記撮影タイミング判断手段によって撮影タイミングが重なるものがあると判断されると、対応する切り出し範囲を全て含む領域を切り出すことを特徴とする付記３に記載の撮像装置である。
【００５０】
（付記５）
付記５に記載の発明は、撮影タイミングで前記切り出し範囲が重なるか否かを判断する切り出し範囲判断手段を更に備え、前記制御手段は、前記切り出し範囲判断手段によって切り出し範囲が重なると判断されると、前記処理内容として前記撮像領域からこの重なる切り出し範囲を全て含む領域を切り出すことを特徴とする付記２乃至４の何れか一つに記載の撮像装置である。
【００５１】
（付記６）
付記６に記載の発明は、前記制御手段は、前記切り出し範囲判断手段によって切り出し範囲が重ならないと判断されると、前記処理内容として前記撮像領域からこれら複数の切り出し範囲を全て含む領域を切り出すことを特徴とする付記５に記載の撮像装置である。
【００５２】
（付記７）
付記７に記載の発明は、前記制御手段は、前記処理内容として更に、前記インターバル撮影の各々に対応して切り出された画像を、その解像度またはサイズが等しくなるように加工するよう制御することを特徴とする付記２乃至６の何れか一つに記載の撮像装置である。
【００５３】
（付記８）
付記８に記載の発明は、前記制御手段は、前記処理内容として、前記撮像制御手段によって撮像された画像を前記設定手段によって設定されたインターバル撮影と対応付けて記憶手段に記憶させることを含むことを特徴とする付記１乃至７の何れか一つに記載の撮像装置である。
【００５４】
（付記９）
付記９に記載の発明は、撮像部を備える撮像装置の画像処理方法であって、複数のインターバル撮影を設定する設定ステップと、前記撮像部に対し、前記設定ステップにて複数設定されたインターバル撮影を並行して行うよう制御する撮像制御ステップと、この撮像制御ステップにて撮像された画像を、前記設定ステップにて設定されたインターバル撮影に対応する処理内容で処理するよう制御する制御ステップと、を含むことを特徴とする画像処理方法である。
【００５５】
（付記１０）
付記１０に記載の発明は、撮像部を備える撮像装置のコンピュータを、複数のインターバル撮影を設定する設定手段、前記撮像部に対し、前記設定手段によって複数設定されたインターバル撮影を並行して行うよう制御する撮像制御手段、この撮像制御手段によって撮像された画像を、前記設定手段によって設定されたインターバル撮影に対応する処理内容で処理するよう制御する制御手段、として機能させることを特徴とするプログラムである。
【符号の説明】
【００５６】
１  デジタルカメラ
１０  入力部
１１  内部記憶部（ＲＡＭ）
１２  通信部
１３  撮像部
１４  表示部
１５  音声入出力部
１６  外部記憶装置（ＳＤスロット）
１７  ストロボ発光部
１８  ＣＰＵ
２０  インターバル撮影条件テーブル
【図１】
2018160731.tif 000003
【図２】
2018160731.tif 000004
【図３】
2018160731.tif 000005
【図４】
2018160731.tif 000006
【図５】
2018160731.tif 000007
【図６】
2018160731.tif 000008
【図７】
2018160731.tif 000009